(57)【要約】【課題】受信パケット信号の復調処理に使用されるパラメータの精度向上を図る。【解決手段】複数の無線端末からのパケット信号をタイムスロット毎に受信する無線基地局であって、１つのパケット信号から、このパケット信号の復調処理に使用されるパラメータを計算する計算部と、パラメータを記憶する記憶部と、複数の無線端末の一つについて、或るタイムスロットにおけるパケット信号の復調処理を行うときに、このパケット信号から得られたパラメータと、記憶部に記憶された、複数の無線端末の一つに割り当てられ且つ或るタイムスロットと連続しない１以上のタイムスロットのパケット信号から得られたパラメータとから平均値を算出し、この平均値を復調処理に使用されるパラメータとして出力する平均化処理部とを含む。【選択図】図５
2007274336.tif 000002
【特許請求の範囲】
【請求項１】
複数の無線端末からのパケット信号をタイムスロット毎に受信する無線基地局であって、
１つのパケット信号から、このパケット信号の復調処理に使用されるパラメータを計算する計算部と、
前記パラメータを記憶する記憶部と、
複数の無線端末の一つについて、或るタイムスロットにおけるパケット信号の復調処理を行うときに、このパケット信号から得られた前記パラメータと、前記記憶部に記憶された、前記複数の無線端末の一つに割り当てられ且つ前記或るタイムスロットと連続しない１以上のタイムスロットのパケット信号から得られた前記パラメータとから前記パラメータの平均値を算出し、この平均値を前記復調処理に使用されるパラメータとして出力する平均化処理部と
を含む無線基地局。
【請求項２】
複数のタイムスロットと各タイムスロットに割り当てられる無線端末との関係を示すスロット割当情報に基づいて、前記平均化処理部での平均値算出に使用される複数の前記パラメータを決定する決定部をさらに含む
請求項１に記載の無線基地局。
【請求項３】
前記平均値を算出するための複数の前記パラメータに対し、前記或るタイムスロットに対応する前記パラメータを基準とした重み付けを行う重み付け部をさらに含む
請求項１に記載の無線基地局。
【請求項４】
前記重み付け部は、前記或るタイムスロットに対応する前記パラメータに最も重い重みを付けるとともに、前記或るタイムスロットとの時間間隔が大きい程小さい重みを前記１以上のタイムスロットに対応する前記パラメータに付ける
請求項３に記載の無線基地局。
【請求項５】
タイムスロット毎に複数の無線端末へ向けたパケット信号を送信する無線基地局と通信する無線端末であって、
前記無線基地局から受信される自端末宛の１つのパケット信号から、このパケット信号の復調処理に使用されるパラメータを計算する計算部と、
前記パラメータを記憶する記憶部と、
自端末に割り当てられた或るタイムスロットのパケット信号の復調処理を行うときに、このパケット信号から得られた前記パラメータと、前記記憶部に記憶された、自端末に割り当てられ且つ前記或るタイムスロットと連続しない１以上のタイムスロットのパケット信号から得られた前記パラメータとから前記パラメータの平均値を算出し、この平均値を前記復調処理に使用されるパラメータとして出力する平均化処理部と
を含む無線端末。
【発明の詳細な説明】
【技術分野】
【０００１】
本発明は、主に無線通信で利用されるパケット通信方式に適用される無線基地局及び無線端末に関する。
【背景技術】
【０００２】
近年の無線通信の分野では、携帯電話・無線ＬＡＮ(Local Area Network)を用いたデータ通信の利用が急速に拡大している。データ通信を目的として無線通信を行う際に有効な通信手段として、パケット通信方式が広く使用されている。
【０００３】
無線通信での端末局と基地局間の通信が時間的に連続に行われる場合、連続する受信タイミングの複数スロット分の情報を用いて平均化処理を行うことにより、特性を改善できることが知られている(例えば、非特許文献１)。一方、パケット通信においては、一般に、タイムスロット間で通信相手端末局が異なる。このため、受信パケットの復調処理を行う場合には、復調すべき１パケット内の信号を元に、受信処理に使用する情報を計算していた。
【特許文献１】特表２００５−５３１２４７号公報
【特許文献２】特開２０００−２０１３７１号公報
【非特許文献１】安藤  英浩  他３名  “マルチスロット重み付き平均化(WMSA)チャネル推定法を用いるコヒーレントRAKE受信の伝送実験特性”，１９９８年電子情報通信学会総合大会， Ｂ−５−９１，  ｐ４５５
【発明の開示】
【発明が解決しようとする課題】
【０００４】
本発明の目的は、無線基地局と無線端末とのパケット通信において、受信側でのパケット信号の復調処理の適正化を図ることを通じて通信品質を向上させることである。
【課題を解決するための手段】
【０００５】
本発明は、上記した目的を達成するために以下の手段を採用する。
【０００６】
即ち、本発明の第１の態様は、複数の無線端末からのパケット信号をタイムスロット毎に受信する無線基地局であって、
１つのパケット信号から、このパケット信号の復調処理に使用されるパラメータを計算する計算部と、
前記パラメータを記憶する記憶部と、
複数の無線端末の一つについて、或るタイムスロットにおけるパケット信号の復調処理を行うときに、このパケット信号から得られた前記パラメータと、前記記憶部に記憶された、前記複数の無線端末の一つに割り当てられ且つ前記或るタイムスロットと連続しない１以上のタイムスロットのパケット信号から得られた前記パラメータとから前記パラメータの平均値を算出し、この平均値を前記復調処理に使用されるパラメータとして出力する平均化処理部と
を含む無線基地局である。
【０００７】
本発明によれば、無線基地局は、不連続の複数のタイムスロットのパケット信号から得られたパラメータの平均値を、復調処理に使用するパラメータとして出力する。平均値を用いることで、パラメータ値の精度向上を図ることができる。したがって、１つのパケット信号から得られたパラメータを用いて復調処理を行う場合に比べて適正な復調処理を行うことが可能となる。よって通信品質が高められる。
【０００８】
好ましくは、本発明に係る無線基地局は、前記平均値を算出するための複数の前記パラメータに対し、前記或るタイムスロットに対応する前記パラメータを基準とした重み付けを行う重み付け部をさらに含む。
【０００９】
好ましくは、前記重み付け部は、前記或るタイムスロットに対応する前記パラメータに最も重い重みを付けるとともに、前記或るタイムスロットとの時間間隔が大きい程小さい重みを前記１以上のタイムスロットに対応する前記パラメータに付ける。
【００１０】
平均化の対象となる各パラメータ値に重み付けを行うことで、パラメータの精度をより高めることができる。
【００１１】
本発明の第２の態様は、タイムスロット毎に複数の無線端末へ向けたパケット信号を送信する無線基地局と通信する無線端末であって、
前記無線基地局から受信される自端末宛の１つのパケット信号から、このパケット信号の復調処理に使用されるパラメータを計算する計算部と、
前記パラメータを記憶する記憶部と、
自端末に割り当てられた或るタイムスロットのパケット信号の復調処理を行うときに、このパケット信号から得られた前記パラメータと、前記記憶部に記憶された、自端末に割り当てられ且つ前記或るタイムスロットと連続しない１以上のタイムスロットのパケット信号から得られた前記パラメータとから前記パラメータの平均値を算出し、この平均値を前記復調処理に使用されるパラメータとして出力する平均化処理部と
を含む無線端末である。
【発明の効果】
【００１２】
本発明によれば、無線基地局と無線端末とパケット通信において、受信側でのパケット信号の復調処理の適正化を図ることを通じて通信品質を向上させることができる。
【発明を実施するための最良の形態】
【００１３】
以下、図面を参照して本発明の実施形態を説明する。実施形態の構成は例示であり、本発明は実施形態の構成に限定されない。
【００１４】
〔発明の経緯〕
図１は、本発明を適用可能な通信システムの概念図である。図１において、無線端末局(端末局：端末装置)#0〜#2は、無線基地局(基地局：基地局装置)に対してパケット送信を行う（アップリンク通信）。スケジューラは、各端末局が基地局へパケットを送信するためのタイムスロットの情報を管理しており、スロット割当情報を基地局及び各端末局に通知する。基地局と各端末局との間では、スロット割当情報を元にパケットの受信処理及び送信処理が行われる。なお、スケジューラは基地局の一部として実装されている場合もある。
【００１５】
一つの端末局と基地局との間で通信が連続的に行われる場合には、受信処理に使用される情報の計算において、通信が連続する時間内で情報の計算結果の平均化処理が適宜行われていた。図２は、連続通信時における情報としてのチャネル推定値の平均化の例を示す図である。図２では、基地局は、端末局＃０との間の無線区間における伝搬路のチャネル推定値を３スロット分(スロット＃２及びその前後のスロット)の情報(チャネル推定値)を重み付け平均して計算している。
【００１６】
しかしながら、図３に示すように、タイムスロット毎に異なる複数の端末局＃０,＃１
及び＃２が時分割でパケット通信を行う場合には、基地局は、１パケット内の受信信号の
みを使用してチャネル推定値の計算を行う。このため、連続通信を行う場合に対して平均化効果による特性改善が得られなかった。
【００１７】
従来では、パケット通信を行う場合、受信機(基地局)の復調処理部では、各端末局の複数のタイムスロットにわたるタイミング情報を持っていない。このため、特性改善に有効な方式でスロット間での平均化を行うことができなかった。このことに鑑み、１スロット内での処理で伝搬路の特性を出すために、１パケットに含まれるパイロット信号の割合を増やすなどの対処をしていた。但し、このような対処方法ではユーザデータの伝送レートが下がってしまう問題があった。
【００１８】
本発明の目的の一つは、パケット通信を行う基地局において、端末局からの受信処理を行う際の受信品質を向上させることを目的とする。
【００１９】
また、図１に示した通信システムにおいて、基地局は、端末局#0〜#2に対してパケット送信を行う（ダウンリンク通信：図４）。この場合においても、スケジューラは、基地局が各端末局に対してパケット送信を行うためのタイムスロットの情報を管理しており、基地局及び各端末局にスロット割当情報を通知する。基地局と端末局との間では、スロット割当情報を元にパケットの送信処理及び受信処理が行われる。
【００２０】
端末局におけるパケットの受信処理においても、連続通信の場合には、図２に示した方法と同様な方法で受信処理に使用する各種情報の計算において平均化を行うことができる。しかし、他の端末局との間で時分割でタイムスロットを使用するパケット通信時では、図３と同様に１パケット内での処理となる。このため、連続通信を行う場合に比べて平均化効果による特性改善が得られない。
【００２１】
本発明の目的の一つは、パケット通信を行う端末局において、基地局からの受信処理を行う際の受信品質を向上させることである。
【００２２】
〔第１実施形態〕
〈第１実施形態の概要〉
基地局が複数の端末局との間でパケット通信を行う際には、一般に、スケジューラによってパケット送信タイミングが管理される。スケジューラから端末局割当情報を基地局の受信処理部に通知し、パケット受信処理に必要な各種情報の計算時に、同一端末局から受信したパケット間で平均化を行う。
【００２３】
図５は、第１実施形態に係る基地局の原理説明図である。図５において、基地局１は、スケジューラ２と、１パケット内復調処理情報計算部３(以下、「計算部３」と表記)と、復調処理情報保持部４(以下、「保持部４」と表記)と、平均化パラメータ決定部５(以下
、「決定部５」と表記)と、パケット間平均化処理部６(以下、「平均化処理部６」と表記)と、データ再生部７とを含んでいる。基地局１は、図１や図４に示すような通信システ
ムで適用される。但し、図１や図４と異なり、図５では、基地局１がスケジューラ２を含む構成が採用されている。もっとも、スケジューラ２は、基地局１から独立した装置として構成することもできる。
【００２４】
アップリンク通信における受信パケット信号(パケット)は、計算部３とデータ再生部７とに入力される。計算部３は、復調処理に使用する情報を受信された１パケット内で計算する。
【００２５】
１パケット内の計算結果は、保持部４において通信端末局毎に保存される。スケジューラ２は、タイムスロットの割当情報(スロット割当情報)を、保持部４及び決定部５に通知
する。保持部４は、スロット割当情報を通信端末毎の１パケット内の計算結果と関連付けて保持する。
【００２６】
また、決定部５は、スロット割当情報から割り出すことができる同一端末局のパケット間隔を用いて、計算結果の平均化に用いる平均化パラメータ(重み係数)を決定する。
【００２７】
平均化処理部６は、保持部４から同一端末局に係る不連続の複数のタイムスロットにおける計算結果を得るとともに、各タイムスロットに対応する重み係数を決定部５から受け取り、各タイムスロットの計算結果に対する重み付けを行った後、計算結果を平均化する平均化処理を行い、データ再生に使用する復調処理情報を計算する。データ再生部７は、復調処理情報を平均化処理部６から受け取り、復調処理情報を用いて受信パケット信号を復調する。このようにして、受信パケット信号からデータが再生されデータ再生部７から出力される。
【００２８】
図６は、図５に示した基地局１の構成を用いて実現されるチャネル推定値の計算例を示す図である。図６に示す例では、端末局＃０に対して、不連続のタイムスロット(スロッ
ト)＃０，＃３及び＃５が割り当てられている。
【００２９】
スロット＃３のパケット受信処理において、スロット＃０，スロット＃３，スロット＃５の1スロット内チャネル推定値計算結果(計算部３で計算され、保持部４で保持される)
に対し、それぞれw0(0)、w0(3)、w0(5)の重み(決定部５で決定される)が付けられ、スロ
ット＃３の平均化チャネル推定値が計算される(平均化処理部６で計算される)。
【００３０】
平均化処理は、チャネル推定値の算出対象(データ再生タイミング)となるタイムスロットについて、所定のディレイ許容値と、伝搬環境等により決定される平均化有効スロット範囲とを元に決定される平均化範囲に含まれるタイムスロットを平均化の対象として行われる。
【００３１】
図６の例では、例えば、ディレイ許容値は「２スロット」と規定されており、平均化有効スロット範囲は「３スロット」と決定されている。チャネル推定値の算出対象となるタイムスロット(図６ではスロット＃３)を中心としたときに、その前の３スロット（スロット＃０、＃１、＃２）、後の２スロット（スロット＃４、＃５）の範囲に属するタイムスロットが平均化の対象となる。即ち、図６では、スロット＃３の前３スロット、後２スロットの範囲に属するスロット＃０〜スロット＃５が、平均化の範囲となり、この範囲に属し端末局＃０が割り当てられるスロット＃０，＃３及び＃５が平均化の対象となっている。
【００３２】
この場合、決定部５は、データ再生タイミングであるw0(3)に対して最大の重み係数を
決定する。また、決定部５は、スケジューラ２からのスロット割当情報でデータ再生タイミングからそれぞれT0、T0’(T0＞T0’)離れた時間の重み係数については、その時間差によりw0(0)＜w0(5)となるように決定する。
【００３３】
データ再生部３は、平均化されたチャネル推定値を用いて、スロット＃３のパケットの復調処理を行う。これによって、スロット＃３のチャネル推定値のみが用いられる復調処理よりも好適な復調結果(データ)を得ることが可能となる。
【００３４】
基地局１によれば、アップリンクパケット通信時の基地局受信処理(パケット復調処理)に使用される情報の計算において、同一端末局からの複数の不連続なタイムスロットで受信されたパケットの情報に対し、パケット間隔(スロット間隔)を考慮した平均化処理を行う。これにより、情報の精度を高めることができ、アップリンクパケット通信品質の向上
を図ることができる。
【００３５】
なお、基地局１が本発明の無線基地局に相当し、計算部３が本発明の計算部に相当し、保持部４が本発明の記憶部に相当し、平均化処理部６が本発明の平均化処理部及び重み付け部に相当し、決定部５が、本発明の決定部に相当する。
【００３６】
〈具体例１〉
次に、第１実施形態における基地局(基地局１)の具体例１について説明する。図７は、基地局１の構成をチャネル推定値の平均化に適用した例(基地局１０)を示す図である。
【００３７】
図７において、送受信アンテナ１１で受信された端末局からの信号は、デュプレクサ１２により送信信号と分離され、ＲＦ(Radio Frequency)信号処理部１３でＩＦ(Intermediate Frequency：中間周波数)帯信号に変換され、アナログ／ディジタル(Ａ／Ｄ)変換器１
４で必要なサンプルレート・ビット数のディジタル信号に変換され、直交復調器１５で直交検波されてベースバンドＩ／Ｑ(In-phase/Quadrature-phase(同相/直交位相))信号(パ
ケットデータ)となる。
【００３８】
図８は、第１実施形態で適用されるパケットデータのフォーマット構成例である。１パケット中には、端末局ユーザが通信の目的で送信するデータシンボルと、パス検出及び伝搬路推定等の目的で使用するパイロットシンボル(一般に既知パターンで構成される)と、その他通信の制御に使用される制御情報とが含まれている。ユーザデータの転送レートを上げる観点では、パケット中のデータシンボルを除く部分の占める割合が少ないほうが好ましい。
【００３９】
図７に戻って、パスサーチ部１６は、ベースバンドＩ／Ｑ信号中のパイロットシンボル部分を検出することによって、受信パケットのサンプルタイミング(サンプル点情報)を検出する。周波数オフセット推定部１７は、パイロットシンボル間の位相を比較することにより、基地局と端末局のキャリア周波数オフセットを推定する。
【００４０】
チャネル推定部１８は、パケット内チャネル推定部１９(図５の計算部３に相当)と、チャネル推定値平均化部２０(図５の平均化処理部)とを有している。パケット内チャネル推定部１９は、パイロットシンボルの位相を既知のパイロットと比較することにより伝搬路チャネルの推定を行う。チャネル推定値平均化部２０は、複数のパケットから計算されたチャネル推定値の平均化処理を行う。
【００４１】
データ検波部２１は、直交復調器１５の出力(ベースバンドＩ／Ｑ信号)のうちデータシンボル部分の信号について、チャネル推定部１８からのチャネル推定値により伝搬路チャネルの補償を行った上で、データシンボルの検波を行う。チャネルデコード部２２は、検波されたデータシンボルに誤り訂正等の処理を行い、受信データを再生する。データ検波部２１及びチャネルデコード部２２は図５のデータ再生部７に相当する。
【００４２】
さらに、基地局１０は、スケジューラ２３(図５のスケジューラ２に相当)と、パケット内チャネル推定部１９(図５の計算部３に相当)で計算された１パケット内チャネル推定値と、スケジューラ２からのスロット割当情報とを関連付けて保持する保持部２４(図５の
保持部４に相当)と、スロット割当情報から割り出される同一端末局のパケットの受信間
隔から各スロットのチャネル推定値に対する平均化パラメータ(重み係数)を決定する平均化パラメータ決定部２５(図５の決定部５に相当)とを備えている。保持部２４，平均化パラメータ決定部２５，データ検波部２１及びチャネルデコード部２２は、スケジューラ２３からのスロット割当情報に基づいて同期をとって動作する。
【００４３】
また、スケジューラ２３からのスロット割当情報は、送信信号生成部２６に制御情報及び送信ユーザデータとともに入力される。送信信号生成部２６は、スロット割当情報，制御情報，送信ユーザデータを含むダウンリンク用の送信信号を生成する。送信信号は、デュプレクサ１２を介して送受信アンテナ１１から端末局へ向けて送信される。
【００４４】
図９は、基地局１０で実行されるチャネル推定値計算処理の実行フローの例を示す図である。図９に示す処理は、端末局と基地局との通信開始を契機として開始される。また、図９に示す処理は、基地局１０が或る端末局(例えば、図１に示す端末局＃０)を含む複数の端末局(図１に示す端末局＃０，＃１及び＃２)との間でアップリンク通信を行う場合における、或る端末局＃０のパケット受信に係る処理を示している。
【００４５】
最初に、基地局１０において、通信目的等のパラメータで制限されるディレイ許容値が決定される(ステップＳ０１)。平均化有効スロット範囲は、電波の伝搬環境等を考慮して適時決定される。ディレイ許容値と平均化有効スロット範囲は、平均化時間を規定する情報として平均化パラメータ決定部２５に通知される。
【００４６】
その後、端末局＃０からのパケット着信時には、１パケット内のチャネル推定処理が、パケット内チャネル推定部１９にて実行される(ステップＳ０２)。１パケット内のチャネル推定値は、パケット間平均化処理部６及び保持部２４に与えられる。
【００４７】
次に、保持部２４は、スケジューラ２３からのスロット割当情報を参照し、今後、その端末局(端末局＃０)に対するタイムスロットの再割当が予定されるか否かを判定する(ス
テップＳ０３)。このとき、再割当が予定される場合(Ｓ０３；Ｙｅｓ)には、保持部２４
は、１パケット内チャネル推定値を、１スロットチャネル推定値として保持部２４内に用意された記憶領域に保存する(ステップＳ０４)。これに対し、再割当が予定されない場合(Ｓ０３；Ｎｏ)には、１スロットチャネル推定値の保存は行われない。
【００４８】
次に、平均化パラメータ決定部２５は、平均化パラメータ決定処理を実行する(ステッ
プＳ０５)。即ち、平均化パラメータ決定部２５は、スケジューラ２３から通知されるス
ロット割当情報と、データ再生タイミングと、ディレイ許容値及び平均化有効スロット範囲に基づく平均化時間(平均化範囲)とに基づき、端末局＃０の過去のスロット割当時間から、平均化に使用する、時間軸に対して不連続な複数のタイムスロットを決定する。
【００４９】
続いて、平均化パラメータ決定部２５は、複数のタイムスロットについて、平均化パラメータ(重み係数)を決定する。即ち、平均化パラメータ決定部２５は、データ再生タイミングのタイムスロットを中心とし、この中心のタイムスロットに最も重い重み係数を決定し、残りのタイムスロットについては、中心のタイムスロットからの時間間隔を考慮して重み係数を決定する。例えば、中心のタイムスロットからの時間間隔が長い程、小さい重み係数が決定される。
【００５０】
このとき、平均化パラメータ決定部２５は、決定した平均化パラメータを、端末局＃０の移動速度や、推定最大ドップラー周波数等のパラメータ、或いは基地局１０の設置位置における電波の伝搬環境に基づいて適宜変更(調整)することができる。
【００５１】
次に、チャネル推定値平均化部２０が、複数パケットについてのチャネル推定値の平均化処理を行う(ステップＳ０６)。即ち、チャネル推定値平均化部２０は、平均化パラメータ(重み係数)と、各重み係数に対応するスロット時間とを平均化パラメータ決定部２５から取得する。続いて、チャネル推定値平均化部２０は、各スロット時間に対応する複数の１スロットチャネル推定値を保持部２４及びパケット内チャネル推定部１９から得る。
【００５２】
続いて、チャネル推定値平均化部２０は、各１スロットチャネル推定値に重み係数を乗じることで１スロットチャネル推定値に重み付けを行った後、これらの１スロットチャネル推定値の平均値を算出する。平均値は、チャネル推定値としてデータ検波部２１に与えられる。その後、チャネル推定値を用いたデータシンボルの検波がデータ検波部２１で行われ、受信データの再生がチャネルデコード部２２で行われる。
【００５３】
一方、保持部２４は、保持データの有効判定を行う(ステップＳ０７)。保持部２４において、ステップＳ０５で行われた平均化パラメータの決定に使用された最も古いタイムスロットより古いタイムスロットの１スロットチャネル推定値が保持されているか否かを判定する。そのような１スロットチャネル推定値はその後の平均化パラメータの決定に使用されないため、保持部２４は、そのような１スロットチャネル推定値があれば、その１スロットチャネル推定値を無効データと判定する(Ｓ０７；Ｎｏ)。この場合、保持部２４は、無効と判定された１スロットチャネル推定値を破棄する(ステップＳ０８)。
【００５４】
また、ステップＳ０７では、保持部２４は、スロット割当情報に基づき、平均化時間(
ディレイ許容値及び平均化有効スロット範囲から決まる)内に再割当が行われて使用され
る予定がない１スロットチャネル推定値も破棄対象(無効データ)であると判定する。無効データがなければ、処理がステップＳ０９に進む。
【００５５】
ステップＳ０９では、端末＃０との通信が終了か否かが判定される。通信が終了しない場合(Ｓ０９；Ｎｏ)、処理がステップＳ０２に戻る。通信が終了される場合(Ｓ０９；Ｙ
ｅｓ)、保持部２４は、通信が終了される端末局(ここでは、端末＃０)について保存され
ている１スロットチャネル推定値の全てを破棄し(ステップＳ１０)。端末＃０についてのパケット受信処理を終了する。
【００５６】
図１０は、チャネル推定値保持部(保持部２４)の構成例を示す図である。図１０には、保持部２４が有する記憶領域に格納されるデータのデータ構造例が示されている。保持部２４の記憶領域には、通信中の端末(＃０〜＃Ｎ)毎に１以上の１スロットチャネル推定値(のエントリ)を格納するための領域が確保される。
【００５７】
各領域には、１スロットチャネル推定値(１パケット内チャネル推定値)のエントリが格納される。最大エントリ数は、例えば、チャネル推定値の平均化に使用されるタイムスロット数の最大値を上限として規定することができる。或いは、最大エントリ数は、平均化に適用される時間範囲に応じて可変となるように構成することができる。
【００５８】
各エントリには、１スロットチャネル推定値と、この推定値が計算された時刻情報(ス
ロット情報：スロット割当情報から割り出される)とが関連付けて格納される。各領域に
記憶された１スロットチャネル推定値のうち、複数パケット平均化処理(図９：Ｓ０６)において、平均化パラメータ決定部２５により平均化に使用されると判定された範囲の推定値が読み出される。
【００５９】
具体例１によれば、データ検波部２１で使用されるチャネル推定値として、複数のタイムスロットにおけるチャネル推定値の平均値が使用されるので、１つのタイムスロットに基づくチャネル推定値を用いる場合に比べて、適正なデータ検波を実行できる。これによって、精度の高いパケットの復調処理を行うことができ、アップリンク通信品質の向上を図ることができる。
【００６０】
〈具体例２〉
次に、第１実施形態における基地局(基地局１)の具体例２について説明する。図１１は、基地局１の構成を、端末局と基地局間の周波数オフセット推定値の平均化に適用した例
(基地局３０)を示す図である。基地局３０は、基地局１０と同一の構成を有するため、同一の構成については同一の符号を付して説明を省略する。基地局３０の構成は、基地局１０との比較において説明する。
【００６１】
具体例２では、１パケット内の周波数オフセットを保持部２４Ａにて記憶し、複数パケットから求めたオフセット情報(オフセット推定値)を重み付けて平均化する。図１１において、基地局３０は、周波数オフセット推定部１７の代わりの周波数オフセット推定部１７Ａを有している。周波数オフセット推定部１７Ａは、パケット内オフセット推定部１７１(図５の計算部３に相当)と、オフセット推定値平均化部１７２(図６の平均化処理部６
に相当)とを含んでいる。
【００６２】
パケット内オフセット推定部１７１は、周波数オフセット推定部１７と同様の機能を有しており、パケット毎に、パイロットシンボル間の位相を比較することにより、基地局と端末局のキャリア周波数オフセットを推定する。
【００６３】
推定結果は、１パケット内オフセット推定値(１スロットオフセット推定値)として、保持部２４Ａに保持される。保持部２４Ａの構成は、１スロットチャネル推定値の代わりに１スロットオフセット推定値を記憶する点を除き、保持部２４と同じである。平均化パラメータ決定部２５の構成は、具体例１と同様である。
【００６４】
オフセット推定値平均化部１７２は、平均化範囲に属する不連続の複数の１スロットオフセット推定値を保持部２４Ａ及びパケット内オフセット推定部１７１から得て、平均化パラメータ決定部２５から得られる平均化パラメータ(重み係数)で重みづけを行った後、１スロットオフセット推定値の平均値を算出し、周波数オフセット情報(周波数オフセッ
ト推定値)としてチャネル推定部１８Ａに渡す。
【００６５】
チャネル推定部１８Ａは、基地局１０のパケット内チャネル推定部１９と同じ機能を有し、パイロットシンボルの位相を既知のパイロットと比較することにより、伝搬路チャネルの推定を行い、推定結果をチャネル推定値としてデータ検波部２１に与える。以上の点を除き、具体例２に係る基地局３０の構成は、基地局１０と同じ構成を持つ。また、基地局３０では、図９に示した処理フローと同様の処理で、周波数オフセット推定値の平均化と、保持部２４Ａのエントリ管理を行う。
【００６６】
具体例２によれば、チャネル推定部１８Ａで使用される周波数オフセット推定値として、複数のタイムスロットにおけるオフセット推定値の平均値が使用されるので、１つのタイムスロットに基づくオフセット推定値を用いる場合に比べて、適正なチャネル推定を実行できる。これによって、パケットの受信品質の向上を図ることができる。
【００６７】
〈具体例３〉
次に、第１実施形態における基地局(基地局１)の具体例３について説明する。図１２は、基地局１の構成を、端末局と基地局間の周波数オフセット推定値の平均化に適用した例(基地局４０)を示す図である。基地局４０は、基地局３０と同一の構成を有するため、同一の構成については同一の符号を付して説明を省略する。基地局３０の構成は、基地局４０との比較において説明する。
【００６８】
一般に、周波数オフセットは、基地局および端末局のローカル周波数発信機間の周波数差や、端末局の移動による平均的なドップラー周波数シフトが要因となり、フェージングによるチャネル変動に比べて変動が遅い場合が多い。このため、オフセット推定の平均化のために長い時間範囲を適用することが有効な場合がある。
【００６９】
具体例２では、パケット内オフセット推定結果(１パケット内オフセット推定値：１ス
ロットオフセット推定値)を、指数平均を用いて平均化する。このため、具体例３に係る
基地局４０は、次の構成を備える。
【００７０】
基地局４０は、周波数オフセット推定部１７Ａ(図１１)の代わりの周波数オフセット推定部１７Ｂを備える。周波数オフセット推定部１７Ｂは、パケット内オフセット推定部１７１(図５の計算部３に相当)と、乗算器１７３，乗算器１７４及び合成器(平均化部)１７５(これらが図５の平均化処理部６に相当する)とを含む。また、基地局４０は、保持部２４Ａ(図１１)の代わりの保持部２４Ｂと、平均化パラメータ決定部２５Ａ(図１１)の代わりの平均化パラメータ決定部２５Ｂを備える。
【００７１】
保持部２４Ｂは、周波数オフセット推定部１７Ｂから出力される周波数オフセット情報，即ち指数平均で平均化されたオフセット推定値を、通信中の端末局毎に保持する。
【００７２】
平均化パラメータ決定部２５Ｂは、パケット内オフセット推定部１７１から出力される１スロットオフセット推定値に乗ずべき第１の重み係数Ｗ１と、保持部２４Ｂに保持される平均化オフセット推定値に乗ずべき第２の重み係数Ｗ２とを、Ｗ１＜Ｗ２となるように決定する。上述したように、オフセット推定値は急激に変化することが少ないことから、これまでのオフセット推定値の平均値(平均化オフセット推定値)に対し、１スロットオフセット推定値よりも大きい重み係数を与える。
【００７３】
また、平均化パラメータ決定部２５Ｂは、スロット割当情報から割り出されるスロット間隔(時間間隔)に基づき、時間間隔が短い程大きい重み係数Ｗ１を１スロットオフセット推定値に与えるように、重み係数Ｗ１の値を決定する。これにより、オフセット推定値の精度を高めることができる。
【００７４】
乗算器１７３は、１スロットオフセット推定値に重み係数Ｗ１を乗じて重み付けを行い、乗算結果を合成器１７５に入力する。乗算器１７４は、保持部２４Ｂに保持された平均化オフセット推定値に重み係数Ｗ２を乗じて重み付けを行い、乗算結果を合成器１７５に入力する。合成器１７５は、乗算器１７３及び１７４からの乗算結果を加算して平均した値を周波数オフセット情報として出力する。
【００７５】
〈具体例４〉
次に、第１実施形態における基地局(基地局１)の具体例４について説明する。図１３は、基地局１の構成を、端末局からのパケット受信信号の到来方向推定値を平均化に適用した例(基地局５０)を示す図である。基地局５０は、基地局１０と同一の構成を有するため、同一の構成については同一の符号を付して説明を省略する。
【００７６】
図１３において、基地局５０は、複数のアンテナ(図１３では４本)からなる送受信用アレイアンテナ１１Ａを有している。基地局５０は、アンテナ毎に用意された復調ユニット５１を有しており、復調ユニット５１は、具体例１で説明したデュプレクサ１２，ＲＦ信号処理部１３，Ａ／Ｄ変換器１４及び直交復調器１５を含んでいる。
【００７７】
各復調ユニット５１からの出力(アンテナ毎のベースバンドＩ／Ｑ信号：パケット)は、受信アレイ処理部５２と、到来方向推定部５３とに入力される。受信アレイ処理部５２は、到来方向推定部５３から出力される到来方向推定値を元に、各復調ユニット５１からの信号に対するアレイ合成処理を行い、合成後の信号を復調処理部５４に入力する。復調処理部５４は、合成後の信号に対する復調を行い、復調(受信)ユーザデータを出力する。
【００７８】
到来方向推定部５３は、パケット内到来方向推定部５４(図５の計算部３に相当)と、到
来方向推定値平均化部５５(図５の平均化処理部６に相当)とを含んでいる。パケット内到来方向推定部５４は、パケット中のパイロットシンボルから到来方向推定値を算出し、１スロット到来方向推定値として、保持部２４Ｃに格納する。
【００７９】
保持部２４Ｃは、端末局毎の１スロット到来方向推定値を格納する。保持部２４Ｃの記憶領域のデータ構造は、１スロットチャネル推定値の代わりに１スロット到来方向推定値が格納される点を除き、図１０に示した構造と同じである。平均化パラメータ決定部２５Ｃは、図７に示した平均化パラメータ決定部２５と同様の機能を持つ。
【００８０】
到来方向推定値平均化部５５は、各端末局のデータ再生タイミングにおいて、平均化パラメータ決定部２５Ｃから平均化範囲に属する不連続の複数のタイムスロットに応じた重み係数を受け取り、対応する複数の１スロット到来方向推定値を保持部２４Ｃ及びパケット内到来方向推定部５４から得る。続いて、到来方向推定値平均化部５５は、１スロット到来方向推定値に対する重み付け及び平均化を行い、平均化された到来方向推定値を受信アレイ処理部５２に与える。
【００８１】
基地局５０によれば、到来方向がより正確に推定される(到来方向推定精度が改善され
る)ことによって、受信特性の改善を行うことができる。
【００８２】
〔第２実施形態〕
次に、本発明の第２実施形態について説明する。第２実施形態では、端末局におけるダウンリンク通信時のパケット受信品質の向上に関して説明する。第２実施形態は、第１実施形態と共通点を含むので、共通点については説明を省略し、主として相違点について説明する。
【００８３】
〈第２実施形態の概要〉
図１４は、第２実施形態における端末局(端末局６０)の原理図である。図１４において、制御局又は基地局７０は、スケジューラ２と、スケジューラ２からのスロット割当情報を、無線区間を通じて端末局６０に送信するスロット割当情報送信部７１とを備えている。
【００８４】
端末局６０は、制御局又は基地局７０からのスロット割当情報を受信するスロット割当情報受信部６１を備えている。さらに、端末局６０は、図５に示したような、計算部３，保持部４，決定部５，平均化処理部６及びデータ再生部７を有している。但し、計算部３及びデータ再生部７には、アップリンク受信パケット信号の代わりのダウンリンク受信パケット信号が入力され、データ再生部７は、ダウンリンク受信データを出力する。
【００８５】
第２実施形態では、スケジューラ２からのスロット割当情報が、割当情報通知手段としてのスロット割当情報送信部７１を用いて対象となる(通信中の)端末局６０に通知される。端末局６０は、受信処理(パケットの復調処理)に必要な各種情報の計算時に、自端末局向けのパケット間で各種情報の平均化を行う。
【００８６】
図１５は、図１４に示した制御局又は基地局７０でスケジューラ２からのスロット割当情報を端末局６０に通知する際に使用されるダウンリンクチャネルの構成例を示す図である。図１５に示す例では、ダウンリンクパケット通信を行う端末局毎に、スロット割当情報を通知するための個別制御チャネルが使用される。この個別制御チャネルはスロット割当情報以外の制御情報を送信する目的で共用することができる。送信されるスロット割当情報には、以後に行われる１スロットについてだけでなく、対応する端末局６０の将来の複数スロットにわたる情報が含まれている。
【００８７】
図１６は、 図１４に示した制御局又は基地局７０でスケジューラ２からのスロット割
当情報を端末局６０に通知する際に使用されるダウンリンクチャネルの他の構成例である。  図１６に示す例では、ダウンリンクパケット通信を行う複数の端末局６０に対して共通な報知情報チャネルがスロット割当情報を通知するために使用される。スロット割当情報は端末局６０毎に時分割多重で送信されても良い。或いは、予め決められたフォーマットでコード分割多重するなどの方法が適用されても良い。また、この報知チャネルはスロット割当情報以外の制御情報を送信する目的で共用することができる。
【００８８】
端末局６０によれば、ダウンリンクパケット通信時の端末局受信処理に使用する情報の計算において、複数の不連続なタイムスロットで受信されたパケットの情報をパケット間隔(スロット間隔)を考慮した重み付けの後に平均化処理を行うことで、精度の高い情報を得ることができる。したがって、ダウンリンクパケット通信品質の向上を図ることができる。
【００８９】
なお、端末局６０が本発明の無線端末に相当し、計算部３が本発明の計算部に相当し、保持部４が本発明の記憶部に相当し、平均化処理部６が本発明の平均化処理部及び重み付け部に相当し、決定部５が本発明の決定部に相当する。
【００９０】
〈具体例１〉
次に、第２実施形態における制御局又は基地局７０，及び端末局６０の具体例１として、端末局でのチャネル推定値を平均化処理する場合について説明する。図１７Ａは、端末局６０の具体例１に相当する端末局(端末局８０)の構成例を示す図であり、図１７Ｂは、制御局又は基地局７０の具体例１に相当する基地局(基地局９０)の構成例を示す図である。
【００９１】
図１７Ｂにおいて、基地局９０は、送受信アンテナ１１と、デュプレクサ１２と、デュプレクサ１２から出力される受信信号に対する復調処理を行い受信データ出力する受信信号処理部９１と、スケジューラ２３と、送信信号処理部２６Ａとを含んでいる。送信信号処理部２６Ａ，デュプレクサ１２及び送受信アンテナ１１が図１４に示したスロット割当情報送信部７１に相当する。
【００９２】
スケジューラ２３からのスロット割当情報は、送信信号生成部２６Ａ及びデュプレクサ１２を経て、送受信アンテナ１１から送信される。送信信号生成部２６Ａは、スロット割当情報をダウンリンクのフォーマットにしたがって送信する。基地局９０は、スロット割当情報を制御情報とともに、送信ユーザデータのパケットチャネルと異なる制御チャネル(個別制御チャネル(図１５)，又は報知チャネル(図１６))を用いて端末局８０に通知する。
【００９３】
図１７Ａにおいて、端末局８０は、送受信アンテナ１１と、復調ユニット８１と、パケットチャネル復調部８２とを有している。復調ユニット８１及びパケットチャネル復調部８２の構成は、図７に示した基地局１０の構成と同様であるので説明を省略する。
【００９４】
但し、具体例１では、スロット割当情報が制御チャネルを用いて端末局８０に通知される。このため、端末局８０は、復調ユニット８１の出力から制御チャネルに対する復調処理を行う制御チャネル復調部８３と、制御チャネルの復調結果から復調制御情報(スロッ
ト割当情報を含む)を抽出する制御情報抽出部８４と、復調制御情報中のスロット割当情
報をデータ検波部２１，チャネルデコード部２２，保持部２４及び平均化パラメータ決定部２５に通知等の、パケットチャネルの復調処理を制御するパケット復調処理制御部８５とを備えている。送受信アンテナ１１，復調ユニット８１，制御チャネル復調部８３，制御情報抽出部８４及びパケット復調処理制御部８５が、図１４に示したスロット割当情報
受信部６１に相当する。
【００９５】
図１８は、図１７Ａに示した端末局８０で実行されるチャネル推定値計算処理の実行フローを示す図である。図１８に示す処理は、図９に示す基地局１０における処理と以下の点を除き、同じである。
【００９６】
(１)ステップＳ１０２において、制御チャネルからパケット割当情報(スロット割当情
報)が獲得され、データ検波部２１，チャネルデコード部２２，保持部２４及び平均化パ
ラメータ決定部２５に通知される。
【００９７】
(２)ステップＳ０３Ａにおいて、保持部２４は、パケットチャネル復調処理制御部８５からのスロット割当情報を参照し、今後自局に対するタイムスロットの再割当が予定されているか否かを判定する。
【００９８】
図１８に示す処理の流れは次の通りである。パケットチャネル受信開始時、通信目的等のパラメータで制限されるディレイ許容値が決定される(ステップＳ０１)。次に、基地局９０から送信されるスケジューラ２３からのスロット割当情報を制御チャネル復調部８３及び制御情報抽出部８４を介して獲得する(ステップＳ１０２)。
【００９９】
その後、ダウンリンクからのパケット受信が開始される。パケット着信時には、１パケット内のチャネル推定処理が実行される(ステップＳ０２)。次に、獲得されたスロット割当情報を使用して、今後において、自端末局に対するタイムスロットの再割当が予定される場合(Ｓ０３Ａ；Ｙｅｓ)には、１スロット内チャネル推定値が保持部２４で保存される(ステップＳ０４)。
【０１００】
次に、自端末局の過去のスロット割当時間から、不連続な複数のタイムスロットで計算されたチャネル推定値に対する平均化パラメータが決定される(ステップＳ０５)。平均化パラメータはさらに自端末局の移動速度や推定最大ドップラー周波数等のパラメータにより適宜変更され得る。
【０１０１】
決定された平均化パラメータを用いて、複数のタイムスロットで計算されたチャネル推定値の間で平均化が行われる(ステップＳ０６)。保持された１スロットチャネル推定値のうち、平均化パラメータ決定部２５で使用が決定される最も古い１スロットチャネル推定値よりも古い１スロットチャネル推定値は不要となるため、その推定値の破棄が行われる(ステップＳ０７，Ｓ０８)。その後、基地局９０との通信が終了するまで、ステップＳ０２〜Ｓ０８のループが繰り返され(ステップＳ０９)、通信が終了すると、保持部２４で保存されていた複数の１スロットチャネル推定値が破棄される(ステップＳ１０)
〈具体例２〉
次に、第２実施形態における制御局又は基地局及び端末局の具体例２について説明する。但し、具体例１は、上述した具体例１(図１７Ａ，図１７Ｂ及び図１８)と共通点を有するので、共通点については説明を省略し、主として相違点について説明する。
【０１０２】
具体例２は、スケジューラからのスロット割当情報を端末局に通知する際に使用されるダウンリンクチャネルが具体例１と異なる。図１９Ａは、具体例２で適用される制御パケットのフォーマット説明図であり、図１９Ｂは、具体例２で適用される通常パケットのフォーマット説明図である。
【０１０３】
具体例２では、図１９Ａに示すように、ダウンリンクパケットチャネルの特定のパケット内に、制御情報と、受信端末局のスロット割当情報とが埋め込まれる。このスロット割当情報は、後続する複数のタイムスロットにおける端末局の割当情報を含む。
【０１０４】
また、制御情報及びスロット割当情報が或るタイムスロットで通知され、その後のタイムスロットで制御情報及びスロット割当情報を埋め込む必要がない場合、パケットフォーマットの切替が行われ、図１９Ｂに示されるような、パイロットシンボルとデータシンボルを含む通常パケットが送信される。
【０１０５】
制御パケットの送受信タイミングは、次のように規定することができる。
〈１〉特定の基準時間（同期チャネル等）に同期させる。
〈２〉通信開始時の先頭パケットを制御パケットとし、以後の制御パケット送信タイミングを制御情報に含める。
【０１０６】
上記した方法が用いられれば、端末局は、制御パケットと通常パケットとを区別して認識することができる。
【０１０７】
図２０Ａは、端末局６０の具体例２に相当する端末局(端末局１００)の構成例を示す図であり、図２０Ｂは、制御局又は基地局７０の具体例２に相当する基地局(基地局１１０)の構成例を示す図である。図２０Ａ及び図２０Ｂには、端末局１００で、チャネル推定値の平均化を行うための構成が開示されている。端末局１００及び基地局１１０は、端末局８０(図１７Ａ)及び基地局９０(図１９Ｂ)と同様の構成を有するので、同様の構成については同一の符号を付して説明を省略する。
【０１０８】
図２０Ｂに示す基地局１１０は、スケジューラ２３からのスロット割当情報を送信信号生成部２６Ｂにおいてダウンリンクパケットチャネルの制御パケット(図１９Ａ)に埋め込んで送信する。
【０１０９】
図２０Ａに示す端末局１００のパケットチャネル復調処理部８２Ａは、パケット(ベー
スバンドＩ／Ｑ信号)からデータ／制御情報シンボルを検波するデータ検波部２１Ａを含
んでいる。端末局１００は、データ／制御情報シンボルから制御情報及びスロット割当情報を抽出する制御情報抽出部１０１と、スロット割当情報をデータ検波部２１Ａ，チャネルデコード部２２，保持部２４，平均化パラメータ決定部２５に通知する等のパケットの復調処理の制御を行う復調処理制御部１０２とをさらに備える。スロット割当情報は、制御パケット受信時に適宜更新される。
【０１１０】
図２１は、図２０Ａに示した端末局１００で実行されるチャネル推定値計算処理の実行フローを示す図である。図２１に示す処理は、図１８に示す基地局８０における処理と以下の点を除き、同じである。
【０１１１】
〈１〉ステップＳ１０３にて、保持部２４が、パケット割当情報(スロット割当情報)が制御パケットを通じて取得済みか否かを判定される。パケット割当情報が取得されていれば(Ｓ１０３；Ｙｅｓ)、処理がステップＳ０３Ａに進み、そうでなければ(Ｓ１０３；Ｎ
ｏ)、処理がステップＳ０９に進む。
【０１１２】
図２１に示す処理の流れは次の通りである。パケットチャネル受信開始時、通信目的等のパラメータで制限されるディレイ許容値が決定される(Ｓ０１)。通信開始時においては、制御パケットからのスロット割当情報の抽出が未実施であるため、１パケット内でのチャネル推定が行われ(Ｓ０２)、そのままデータ復調に用いられる。
【０１１３】
以降のパケット受信処理において、制御パケットが受信され、スロット割当情報が取得された場合には、スロット割当情報が参照され、今後、自端末局に対するタイムスロットの再割当が予定される場合(Ｓ０３Ａ；Ｙｅｓ)には、１パケット内チャネル推定値(１ス
ロットチャネル推定値)が保持部２４で保存される。その後の処理は、図１８に示した処
理と同じであるので、説明を省略する。
【０１１４】
図２１に示す処理では、スロット割当情報が獲得される前に受信されたパケットで計算される１スロットチャネル推定値は、保持部２４において記憶されない。但し、このような１スロットチャネル推定値を記憶する構成として、その後のスロット割当情報が獲得された時に実行されるチャネル推定値の平均化に使用してもよい。
【０１１５】
以上説明した第２実施形態の具体例１及び２によれば、端末局８０及び端末局１００にて、チャネル推定値の精度の向上を図ることができ、精度の高いパケット復調処理を行うことができる。これによって、ダウンリンク通信の品質向上を図ることができる。
【０１１６】
なお、図１７Ａや図２０Ａに示した構成に改変を加えることで、端末局において基地局と端末局との間の周波数オフセット推定値の平均値や、パケット受信信号の到来方向推定値の平均値を不連続の複数のタイムスロットから計算し、オフセット推定値や到来方向推定値の精度改善を実現することができる。
【０１１７】
また、第１実施形態及び第２実施形態で説明した構成は、本発明の目的を逸脱しない範囲で適宜組み合わせることができる。
【０１１８】
〔その他〕
上述した実施形態は、以下の発明を開示する。以下の発明は、本発明の目的を逸脱しない範囲で、必要に応じて組み合わせることができる。
【０１１９】
（付記１）  複数の無線端末からのパケット信号をタイムスロット毎に受信する無線基地局であって、
１つのパケット信号から、このパケット信号の復調処理に使用されるパラメータを計算する計算部と、
前記パラメータを記憶する記憶部と、
複数の無線端末の一つについて、或るタイムスロットにおけるパケット信号の復調処理を行うときに、このパケット信号から得られた前記パラメータと、前記記憶部に記憶された、前記複数の無線端末の一つに割り当てられ且つ前記或るタイムスロットと連続しない１以上のタイムスロットのパケット信号から得られた前記パラメータとから前記パラメータの平均値を算出し、この平均値を前記復調処理に使用されるパラメータとして出力する平均化処理部と
を含む無線基地局。(１)
（付記２）  複数のタイムスロットと各タイムスロットに割り当てられる無線端末との関係を示すスロット割当情報に基づいて、前記平均化処理部での平均値算出に使用される複数の前記パラメータを決定する決定部をさらに含む
付記１に記載の無線基地局。(２)
（付記３）  前記或るタイムスロットと連続しない１以上のタイムスロットは、前記或るタイムスロットを中心とした所定の時間範囲内に位置する
付記１に記載の無線基地局。
【０１２０】
（付記４）  前記平均値を算出するための複数の前記パラメータに対し、前記或るタイムスロットに対応する前記パラメータを基準とした重み付けを行う重み付け部をさらに含む
付記１に記載の無線基地局。(３)
（付記５）  前記重み付け部は、前記或るタイムスロットに対応する前記パラメータに最も重い重みを付けるとともに、前記或るタイムスロットとの時間間隔が大きい程小さい
重みを前記１以上のタイムスロットに対応する前記パラメータに付ける
付記４に記載の無線基地局。(４)
（付記６）  前記パラメータは、パケット信号のチャネル推定値である
付記１に記載の無線基地局。
【０１２１】
（付記７）  前記パラメータは、無線基地局と無線端末との間の周波数オフセット推定値である付記１に記載の無線基地局。
【０１２２】
（付記８）  前記パラメータは、パケット信号の到来方向推定値である
付記１に記載の無線基地局。
【０１２３】
（付記９）  タイムスロット毎に複数の無線端末へ向けたパケット信号を送信する無線基地局と通信する無線端末であって、
前記無線基地局から受信される自端末宛の１つのパケット信号から、このパケット信号の復調処理に使用されるパラメータを計算する計算部と、
前記パラメータを記憶する記憶部と、
自端末に割り当てられた或るタイムスロットのパケット信号の復調処理を行うときに、このパケット信号から得られた前記パラメータと、前記記憶部に記憶された、自端末に割り当てられ且つ前記或るタイムスロットと連続しない１以上のタイムスロットのパケット信号から得られた前記パラメータとから前記パラメータの平均値を算出し、この平均値を前記復調処理に使用されるパラメータとして出力する平均化処理部と
を含む無線端末。(５)
（付記１０）  複数のタイムスロットと各タイムスロットに割り当てられる無線端末との関係を示すスロット割当情報に基づいて、前記平均化処理部での平均値算出に使用される複数の前記パラメータを決定する決定部をさらに含む
付記９に記載の無線端末。
【０１２４】
（付記１１）  前記或るタイムスロットと連続しない１以上のタイムスロットは、前記或るタイムスロットを中心とした所定の時間範囲内に位置する
付記９に記載の無線端末。
【０１２５】
（付記１２）  前記平均値を算出するための複数の前記パラメータに対し、前記或るタイムスロットに対応する前記パラメータを基準とした重み付けを行う重み付け部をさらに含む付記９に記載の無線端末。
【０１２６】
（付記１３）  前記重み付け部は、前記或るタイムスロットに対応する前記パラメータに最も重い重みを付けるとともに、前記或るタイムスロットとの時間間隔が大きい程小さい重みを前記１以上のタイムスロットに対応する前記パラメータに付ける
付記１２に記載の無線端末。
【０１２７】
（付記１４）  前記パラメータは、パケット信号のチャネル推定値である
付記９に記載の無線端末。
【０１２８】
（付記１５）  前記パラメータは、無線基地局と無線端末との間の周波数オフセット推定値である付記９に記載の無線端末。
【０１２９】
（付記１６）  前記パラメータは、パケット信号の到来方向推定値である
付記９に記載の無線端末。
【０１３０】
（付記１７）  前記スロット割当情報を、前記パケット信号の伝送チャネルと異なるチ
ャネルを通じて受信する付記１０に記載の無線端末。
【０１３１】
（付記１８）  前記パケット信号に埋め込まれた前記スロット割当情報を受信する
付記１０に記載の無線端末。
【図面の簡単な説明】
【０１３２】
【図１】図１は、本発明を適用可能な通信システムにおけるアップリンク通信の説明図である。
【図２】図２は、同一端末局からのパケットの連続受信時におけるチャネル推定値の平均化の例を示す図である。
【図３】図３は、パケット通信時のタイムスロット割当例（同一端末局からのパケットを連続して受信しない場合）とチャネル推定値計算の例とを示す図である。
【図４】図４は、図１に示した通信システムにおけるダウンリンク通信の説明図である。
【図５】図５は、第１実施形態に係る基地局の原理構成図である。
【図６】図６は、図５に示した基地局で実行されるチャネル推定値の平均化処理の例を示す図である。
【図７】図７は、図５に示した基地局の具体例１を示す図であり、チャネル推定値を平均化するための構成を示す。
【図８】図８は、具体例１で使用されるパケットデータのフォーマット例を示す図である。
【図９】図９は、図７に示した基地局で実行されるチャネル推定値平均化処理フローの例を示す図である。
【図１０】図１０は、図７に示した保持部（チャネル推定値保持部）の構成例を示す図であり、保持部の記憶領域におけるデータ構造例を示す。
【図１１】図１１は、図５に示した基地局の具体例２を示す図であり、周波数オフセット推定値を平均化するための構成を示す。
【図１２】図１２は、図５に示した基地局の具体例３を示す図であり、周波数オフセット推定値を平均化するための構成を示す。
【図１３】図１３は、図５に示した基地局の具体例４を示す図であり、パケットの到来方向推定値を平均化するための構成を示す。
【図１４】図１４は、第２実施形態に係る端末局の原理構成図である。
【図１５】図１５は、制御局又は基地局から端末局へのスロット割当情報の通知方法(第１の通知方法)の説明図である。
【図１６】図１６は、制御局又は基地局から端末局へのスロット割当情報の通知方法(第２の通知方法)の説明図である。
【図１７Ａ】図１７Ａは、図１４に示した端末局の具体例１を示す図であり、チャネル推定値を平均化するための構成を示す。
【図１７Ｂ】図１７Ｂは、図１４に示した制御局又は基地局の具体例１を示す図である。
【図１８】図１８は、図１７Ａに示した端末局で実行されるチャネル推定値平均化処理のフローの例を示す図である。
【図１９Ａ】図１９Ａは、図１４に示した原理構成の具体例２で適用される制御パケットのフォーマット説明図である。
【図１９Ｂ】図１９Ｂは、図１４に示した原理構成の具体例２で適用される通常パケットのフォーマット説明図である。
【図２０Ａ】図２０Ａは、図１４に示した端末局の具体例２を示す図であり、チャネル推定値を平均化するための構成を示す。
【図２０Ｂ】図２０Ｂは、図１４に示した制御局又は基地局の具体例２を示す図である。
【図２１】図２１は、図２０Ａに示した端末局で実行されるチャネル推定値平均化処理のフローの例を示す図である。
【符号の説明】
【０１３３】
１，１０，３０，５０，９０，１１０・・・無線基地局装置(基地局)
２，２３・・・スケジューラ
３・・・１パケット内復調処理情報計算部
４・・・復調処理情報保持部
５，２５，２５Ｂ，２５Ｃ・・・平均化パラメータ決定部
６・・・パケット間平均化処理部
７・・・データ再生部
１７，１７Ａ，１７Ｂ・・・周波数オフセット推定部
１８，１８Ａ・・・チャネル推定部
１９・・・パケット内チャネル推定部
２０・・・チャネル推定値平均化部
２１，２１Ａ・・・データ検波部
２４，２４Ａ，２４Ｂ，２４Ｃ・・・保持部
２６Ａ，２６Ｂ・・・送信信号生成部
５３・・・到来方向推定部
５４・・・パケット内到来方向推定部
５５・・・到来方向推定値平均化部
６０，８０，１００・・・無線端末装置(端末局)
６１・・・スロット割当情報受信部
７０・・・制御局又は基地局
７１・・・スロット割当情報送信部
８２・・・パケットチャネル復調部
８３・・・制御チャネル復調部
８４，１０１・・・制御情報抽出部
８５，８５Ａ・・・パケット復調処理制御部
１０２・・・復調処理制御部
１７１・・・パケット内オフセット推定部
１７２・・・オフセット推定値平均化部
１７３，１７４・・・乗算器
１７５・・・合成器
【図１】
2007274336.tif 000003
【図２】
2007274336.tif 000004
【図３】
2007274336.tif 000005
【図４】
2007274336.tif 000006
【図５】
2007274336.tif 000007
【図６】
2007274336.tif 000008
【図７】
2007274336.tif 000009
【図８】
2007274336.tif 000010
【図９】
2007274336.tif 000011
【図１０】
2007274336.tif 000012
【図１１】
2007274336.tif 000013
【図１２】
2007274336.tif 000014
【図１３】
2007274336.tif 000015
【図１４】
2007274336.tif 000016
【図１５】
2007274336.tif 000017
【図１６】
2007274336.tif 000018
【図１７Ａ】
2007274336.tif 000019
【図１７Ｂ】
2007274336.tif 000020
【図１８】
2007274336.tif 000021
【図１９Ａ】
2007274336.tif 000022
【図１９Ｂ】
2007274336.tif 000023
【図２０Ａ】
2007274336.tif 000024
【図２０Ｂ】
2007274336.tif 000025
【図２１】
2007274336.tif 000026